(57)【要約】      （修正有）【課題】屋根瓦に固定された吊り子を介して葺かれる他の屋根瓦のズレや抜け外れを防止できる効果を保持しながら、更に、他の屋根瓦の上面に雨水やゴミ、チリ等が溜まることを防止する。【解決手段】軒側の屋根瓦１と、この屋根瓦１の適所に取付けられる吊り子２を介して取付けられる棟側の屋根瓦３の取付構造であって、前記吊り子２は断面略コ字形に形成され、その上片２２には弾性ガイド片２３を形成すると共に、その基板２１には、弾性係止突起２４を形成してなる。一方、前記屋根瓦３の裏面３１には、前記弾性係止突起２４と係止可能な係止凹所３２を形成してなり、前記屋根瓦３の軒側端３３を、前記吊り子２の弾性ガイド片２３に向けて挿入すると、この裏面３１の係止凹所３２が、前記吊り子２の弾性係止突起２４に係止されて戻り防止される構造にしている。【選択図】図２
2007092480.tif 000002
【特許請求の範囲】
【請求項１】
屋根上に葺かれる軒側の屋根瓦と、この屋根瓦の適所に取付けられる吊り子を介して取付けられる棟側の屋根瓦の取付構造であって、
前記吊り子は、基板の先端を上方に一旦折り曲げ、更に後方に折り返して上片を形成した断面略コ字形に形成され、前記上片には、その開放端を斜め上向きに折り曲げて弾性ガイド片を形成すると共に、前記基板には、上方に突出された弾性係止突起を形成してなり、
一方、前記屋根瓦の裏面には、前記弾性係止突起と係止可能な係止凹所を形成してなり、
前記屋根瓦の軒側端を、前記吊り子の弾性ガイド片に向けて挿入すると、この裏面の係止凹所が、前記吊り子の弾性係止突起に係止されて戻り防止される構造にしたことを特徴とする取付構造。
【請求項２】
請求項１において、
弾性係止突起は、基板を切り起して形成されたことを特徴とする屋根瓦の取付構造。
【請求項３】
請求項１において、
弾性係止突起は、基板上面に弾性材を固着して形成されたことを特徴とする屋根瓦の取付構造。
【発明の詳細な説明】
【技術分野】
【０００１】
本発明は、屋根上に葺かれる屋根瓦が、前記屋根瓦の適所に取付けられる吊り子を介して取付けられる屋根瓦の取付構造に関する。
【背景技術】
【０００２】
一般に、家屋等の屋根上には屋根瓦が葺かれているが、これら屋根瓦の適所には吊り子を設けており、この吊り子を介して屋根瓦を取付ける構造にしている。
【０００３】
具体的には、屋根上に葺かれた屋根瓦のうち、任意の屋根瓦の棟端側には、基板の先端を上方に一旦折り曲げ、更に後方に折り返して上片を形成して断面略コ字形に形成された吊り子を固定しておき、前記吊り子の基板と上片との間に、他の屋根瓦の軒側端を嵌合して前記吊り子を設けた屋根瓦に他の屋根瓦を一部重合させ、当該他の屋根瓦を葺くのである。
【０００４】
このとき、前記他の屋根瓦の軒側端が吊り子とズレたり又は抜け外れたりしないようにするため、従来では、前記吊り子の上片の先端に、バネ性のある係止爪を内側に折り返して形成すると共に、この係止爪を他の屋根瓦の軒側端の上面に設けた係止凹部に係止させる屋根瓦の取付構造が知られている（例えば、特許文献１参照。）。
【特許文献１】実開平５−６６１２５号
【発明の開示】
【発明が解決しようとする課題】
【０００５】
しかしながら、従来の屋根瓦の取付構造では、前記吊り子の係止爪に係止される前記係止凹部は、他の屋根瓦の上面に形成されているため、この係止凹部に雨水やゴミ、チリ等が溜まってしまうという問題があった。
【０００６】
そのため、前記係止凹部に溜まった雨水が吊り子を浸食して、当該吊り子に錆を発生させ易いという問題があるだけでなく、前記係止凹部に溜まったゴミ、チリ等によって、他の屋根瓦の上面が汚れ易いという問題もあった。
【０００７】
本発明は、かかる課題を解決することを目的とするもので、屋根瓦に固定された吊り子を介して葺かれる他の屋根瓦のズレや抜け外れを防止できる効果を保持しながら、更に、他の屋根瓦の上面に雨水やゴミ、チリ等が溜まることを防止できる屋根瓦の取付構造を提供する。
【課題を解決するための手段】
【０００８】
上記目的を達成するため、
請求項１に係る屋根瓦の取付構造は、屋根上に葺かれる軒側の屋根瓦と、この屋根瓦の適所に取付けられる吊り子を介して取付けられる棟側の屋根瓦の取付構造であって、前記吊り子は、基板の先端を上方に一旦折り曲げ、更に後方に折り返して上片を形成した断面略コ字形に形成され、前記上片には、その開放端を斜め上向きに折り曲げて弾性ガイド片を形成すると共に、前記基板には、上方に突出された弾性係止突起を形成してなり、一方、前記屋根瓦の裏面には、前記弾性係止突起と係止可能な係止凹所を形成してなり、前記屋根瓦の軒側端を、前記吊り子の弾性ガイド片に向けて挿入すると、この裏面の係止凹所が、前記吊り子の弾性係止突起に係止されて戻り防止される構造にしたことを特徴とする。
【０００９】
請求項２に係る屋根瓦の取付構造は、請求項１において、弾性係止突起は、基板を切り起して形成されたことを特徴とする。
【００１０】
請求項３に係る屋根瓦の取付構造は、請求項１において、弾性係止突起は、基板上面に弾性材を固着して形成されたことを特徴とする。
【発明の効果】
【００１１】
本発明によれば、次のような効果がある。
請求項１に係る屋根瓦の取付構造によれば、断面略コ字形に形成された吊り子の基板と上片との間に、屋根瓦の軒側端を嵌挿すれば、屋根瓦の裏面に形成された係止凹所と弾性係止突起が係止して、屋根瓦が戻り防止されるので、屋根瓦のズレや抜け外れを防止できる。
【００１２】
また、係止凹所は、屋根瓦の裏面に形成されているので、屋根瓦の上面に雨水やゴミ、チリ等が溜まることも防止できるため、吊り子に錆が発生し難く、屋根瓦の上面も汚れ難くできる。
【００１３】
請求項２に係る屋根瓦の取付構造によれば、弾性係止突起は、基板を切り起して形成されているので、簡易に製造できる。
【００１４】
請求項３に係る屋根瓦の取付構造によれば、弾性係止突起は、基板上面に弾性材を固着して形成されているので、係止凹所に応じた所望の形状を容易に形成できる。
【発明を実施するための最良の形態】
【００１５】
以下、本発明に係る屋根瓦の取付構造Ａを図面とともに説明する。
【実施例１】
【００１６】
図１は、本発明に係る屋根瓦の取付構造Ａの一実施例を示した使用状態図、図２（ａ）〜（ｃ）は、図１の破線Ｂで囲まれた要部を拡大した概略動作図、図３（ａ）〜（ｃ）は、本発明の弾性係止突起の別例を示した概略側面図である。
【００１７】
この屋根瓦の取付構造Ａは、屋根の下地Ｓ上に葺かれる軒側の屋根瓦１と、この屋根瓦１の適所に取付けた吊り子２を介して棟側の屋根瓦３を取付ける、屋根瓦３の取付構造であって、吊り子２は、図２で示すように、基板２１の先端を上方に一旦折り曲げ、更に後方に折り返して上片２２を形成した断面略コ字形に形成され、上片２２には、その開放端を斜め上向きに折り曲げて弾性ガイド片２３を形成すると共に、基板２１には、上方に突出された弾性係止突起２４を形成してなり、一方、屋根瓦３の裏面３１には、弾性係止突起２４と係止可能な係止凹所３２を形成してなる。
【００１８】
ここでの屋根瓦１、３は、波板状に形成された樹脂系屋根瓦を例示しているが、これに限られず、単なる板状の屋根瓦等でも構わない。
【００１９】
吊り子２は、樹脂成形されたものでも構わないが、ここでは、ステンレス、銅、アルミ等の金属製バネ板を折り曲げて形成され、その基板２１の適所を切り起して弾性係止突起２４を形成している。
【００２０】
この弾性係止突起２４としては、図３（ａ）で示すように、基板２１上面にゴム又はその他の弾性材２４ａを固着して形成したり、又は、図３（ｂ）で示すように、金属製の基板２１上面に向けて弾性を有する凸部２４ｂを形成したものでも構わない。また、基板２１上面に複数凸部２４ｃを併設したものでも構わない。
【００２１】
なお、これら弾性材２４ａ、凸部２４ｂ、複数凸部２４ｃの形状に応じて、屋根瓦３の裏面３１には、これらと係止可能な係止凹所３２を形成してなる。
【００２２】
このように構成された屋根瓦の取付構造Ａは、以下の要領で施工する。
【００２３】
先ず、屋根の下地Ｓに葺かれた軒側の屋根瓦１の棟側端に、吊り子２の基板２１端を合わせ、基板２１に設けられた取付孔の上方からネジ、釘等の固定具４を貫通させて、下地Ｓに固定して、軒側の薄板状の屋根瓦１を下地Ｓに葺く〔図２（ａ）参照。〕。
【００２４】
そして、棟側の屋根瓦３の軒側端３３を、吊り子２の弾性ガイド片２３に向けて挿入すると、軒側端３３は、吊り子２の弾性ガイド片２３に誘導されながらスムーズに挿入されると共に、屋根瓦３は、突出された弾性係止突起２４を下方に向けて弾圧しながら更に挿入され、やがて屋根瓦３の係止凹所３２が、弾性係止突起２４に対応すると、弾性係止突起２４の弾性復元力によって、当該弾性係止突起２４が屋根瓦３の係止凹所３２に係止する〔図２（ｂ）、（ｃ）参照。〕。
【００２５】
更に、棟側の屋根瓦３を上記同様、下地Ｓに固定して、棟側の屋根瓦３を軒側の屋根瓦１と一部重合した状態で下地Ｓ上に葺くのである。
【００２６】
そのため、吊り子２に挿入された棟側の屋根瓦３が戻り防止されるので、軒側の屋根瓦１に対する棟側の屋根瓦３のズレや抜け外れを防止できる。
【００２７】
また、係止凹所３２は、棟側の屋根瓦３の裏面３１に形成されているので、この屋根瓦３の上面に雨水やゴミ、チリ等が溜まることも防止できるため、吊り子２にも錆が発生し難く、屋根瓦３の上面も汚れ難く美麗にできる。
【００２８】
なお、本実施例で示した軒側の屋根瓦１と棟側の屋根瓦３は、一例に過ぎず、要は、棟側に配置される屋根瓦と、棟側に配置される屋根瓦との取付構造であれば、同様に解釈できる。
【図面の簡単な説明】
【００２９】
【図１】本発明に係る屋根瓦の取付構造Ａの一実施例を示した使用状態図である。
【図２】（ａ）〜（ｃ）は、図１の破線Ｂで囲まれた要部を拡大した概略動作図である。
【図３】（ａ）〜（ｃ）は、本発明の弾性係止突起の別例を示した概略側面図である。
【符号の説明】
【００３０】
Ａ      屋根瓦の取付構造
１      屋根瓦
２      吊り子
２１    基板
２２    上片
２３    弾性ガイド片
２４    弾性係止突起
２４ａ  弾性材
３      屋根瓦
３１    裏面
３２    係止凹所
３３    軒側端
【図１】
2007092480.tif 000003
【図２】
2007092480.tif 000004
【図３】
2007092480.tif 000005